(57)【要約】  銅張積層板の加工ないしプリント配線板の製造において、微細回路形成性（特に回路直線性）と、樹脂との密着性とを両立可能な、粗化処理銅箔が提供される。本発明の粗化処理銅箔は、少なくとも一方の側に粗化処理面を有し、前記粗化処理面は、ＩＳＯ２５１７８に準拠して測定される算術平均高さＳａ（μｍ）と山の頂点密度Ｓｐｄ（個／ｍｍ２）の積であるＳａ×Ｓｐｄが２５００００μｍ／ｍｍ２以上であり、かつ、ＪＩＳ  Ｂ０６０１−２００１に準拠して測定される算術平均うねりＷａが０．０３０〜０．０６０μｍである。
2017006739.tif 000002
【特許請求の範囲】
【請求項１】
少なくとも一方の側に粗化処理面を有する粗化処理銅箔であって、前記粗化処理面は、ＩＳＯ２５１７８に準拠して測定される算術平均高さＳａ（μｍ）と山の頂点密度Ｓｐｄ（個／ｍｍ２）の積であるＳａ×Ｓｐｄが２５００００μｍ／ｍｍ２以上であり、かつ、ＪＩＳ  Ｂ０６０１−２００１に準拠して測定される算術平均うねりＷａが０．０３０〜０．０６０μｍである、粗化処理銅箔。
【請求項２】
前記Ｓａ×Ｓｐｄが２８００００〜５０００００μｍ／ｍｍ２である、請求項１に記載の粗化処理銅箔。
【請求項３】
前記算術平均うねりＷａが０．０３３〜０．０５０μｍである、請求項１又は２に記載の粗化処理銅箔。
【請求項４】
前記粗化処理銅箔が電解銅箔であり、前記粗化処理面が電解銅箔の電極面側に存在する、請求項１〜３のいずれか一項に記載の粗化処理銅箔。
【請求項５】
請求項１〜４のいずれか一項に記載の粗化処理銅箔を備えた、銅張積層板。
【請求項６】
請求項１〜４のいずれか一項に記載の粗化処理銅箔を備えた、プリント配線板。 
【発明の詳細な説明】
【技術分野】
【０００１】
本発明は粗化処理銅箔、銅張積層板及びプリント配線板に関するものである。
【背景技術】
【０００２】
従来より、プリント配線板の製造工法として、サブトラクティブ法が広く採用されている。サブトラクティブ法は、銅箔を用いて微細な回路形成を行える手法である。例えば、図１Ａ及び１Ｂに示されるように、下地基材１２ａ上に下層回路１２ｂを備えた絶縁樹脂基板１２にプリプレグ１４を介して銅箔１０の粗化面を接着させ（工程（ａ））、必要に応じてハーフエッチングにより銅箔１０を極薄化した後（工程（ｂ））、必要に応じてレーザー穴開け加工又はドリル穴開け加工によりビアホール１６を形成し（工程（ｃ））、必要に応じて化学銅めっき１８（工程（ｄ））及び電気銅めっき２０（工程（ｅ））を施す。次いで、ドライフィルム２２を用いた露光及び現像により所定のパターンでマスキングし（工程（ｆ））、エッチングによりドライフィルム２２の開口部直下の不要な銅箔等を溶解除去した（工程（ｇ））後、ドライフィルム２２を剥離して（工程（ｈ））、所定のパターンで形成された配線２４を得る。この配線２４は略台形状の断面を有し、頂部に対して底部が広くなる。この頂部の端を基準とした底部の延出部分（裾野部分）の距離（トップ−ボトム間距離という）のばらつきが大きいと、回路パターンの直線性に劣ることになる。この場合、その隣り合う配線２４間の間隔が局所的に狭くなるため、短絡等の不具合が生じやすくなる。また、特性インピーダンスが所定の抵抗と合わなくなり、高周波特性に劣ることになる。【０００３】
近年、配線パターンの直線性を向上すべく、表面粗さを低減した表面処理銅箔が提案されている。例えば、特許文献１（特開２００８−２８５７５１号公報）には、絶縁樹脂基材と張り合わせる接着表面は、表面粗さ（Ｒｚｊｉｓ）が２．５μｍ以下で、且つ、２次元表面積が６５５０μｍ２の領域をレーザー法で測定したときの３次元表面積（Ａ）μｍ２と当該２次元表面積との比［（Ａ）／（６５５０）］の値である表面積比（Ｂ）が１．２〜２．５であることを特徴とする表面処理銅箔が開示されている。この特許文献１では、未処理の電解銅箔の析出面に対して粗化処理及び防錆処理が行われている。【０００４】
また、絶縁樹脂基材との密着性及び高周波特性の向上に対処した粗化処理銅箔も提案されている。例えば、特許文献２（国際公開第２０１５／０３３９１７号）には、電解銅箔の電極面側に粗化処理を施した表面処理銅箔であって、表面粗さＲｚが２．５〜４．０μｍであり且つ［Ｒｍａｘ−Ｒａ］が３．５μｍである粗化処理表面を備えたものが開示されている。
【先行技術文献】
【特許文献】
【０００５】
【特許文献１】特開２００８−２８５７５１号公報
【特許文献２】国際公開第２０１５／０３３９１７号
【発明の概要】
【０００６】
ところで、最近、電子回路の小型軽量化及び高速伝送化に伴い、回路形成性により優れた（例えばライン／スペース＝３０μｍ／３０μｍの程度）粗化処理銅箔が求められている。かかる要求を満たすためには、粗化処理銅箔の粗化処理面における表面粗さを低くして、配線パターンの直線性（以下、回路直線性という）をさらに向上させることが考えられる。しかしながら、粗化処理面における表面粗さを単に小さくした場合、銅箔と樹脂基材との密着性が低下して、回路剥がれが生じやすくなる。このように、微細回路形成性（特に回路直線性）と、樹脂基材との密着性とを両立することは容易なことではない。
【０００７】
本発明者らは、今般、粗化処理銅箔の粗化処理面に、ＩＳＯ２５１７８に準拠して測定される算術平均高さＳａ（μｍ）と山の頂点密度Ｓｐｄ（個／ｍｍ２）の積であるＳａ×Ｓｐｄが２５００００μｍ／ｍｍ２以上であり、かつ、ＪＩＳ  Ｂ０６０１−２００１に準拠して測定される算術平均うねりＷａが０．０３０〜０．０６０μｍであるという特有の表面プロファイルを付与することにより、銅張積層板の加工ないしプリント配線板の製造において、微細回路形成性（特に回路直線性）と、樹脂との密着性とを両立できるとの知見を得た。
【０００８】
したがって、本発明の目的は、銅張積層板の加工ないしプリント配線板の製造において、微細回路形成性（特に回路直線性）と、樹脂との密着性とを両立可能な、粗化処理銅箔を提供することにある。
【０００９】
本発明の一態様によれば、少なくとも一方の側に粗化処理面を有する粗化処理銅箔であって、前記粗化処理面は、ＩＳＯ２５１７８に準拠して測定される算術平均高さＳａ（μｍ）と山の頂点密度Ｓｐｄ（個／ｍｍ２）の積であるＳａ×Ｓｐｄが２５００００μｍ／ｍｍ２以上であり、かつ、ＪＩＳ  Ｂ０６０１−２００１に準拠して測定される算術平均うねりＷａが０．０３０〜０．０６０μｍである、粗化処理銅箔が提供される。
【００１０】
本発明の他の一態様によれば、上記態様の粗化処理銅箔を備えた、銅張積層板が提供される。
【００１１】
本発明の他の一態様によれば、上記態様の粗化処理銅箔を備えた、プリント配線板が提供される。
【図面の簡単な説明】
【００１２】
【図１Ａ】サブトラクティブ法を説明するための工程流れ図であり、前半の工程（工程（ａ）〜（ｄ））を示す図である。
【図１Ｂ】サブトラクティブ法を説明するための工程流れ図であり、後半の工程（工程（ｅ）〜（ｈ））を示す図である。
【図２】粗さ曲線とうねり曲線を説明するための図である。
【図３】粗さ曲線とうねり曲線の関係を説明するための図である。
【図４Ａ】例１で得られた配線パターンの断面ＳＥＭ画像である。
【図４Ｂ】例１で得られた配線パターンを上から観察したＳＥＭ画像である。
【図５Ａ】例４で得られた配線パターンの断面ＳＥＭ画像である。
【図５Ｂ】例４で得られた配線パターンを上から観察したＳＥＭ画像である。
【図６Ａ】例５で得られた配線パターンの断面ＳＥＭ画像である。
【図６Ｂ】例５で得られた配線パターンを上から観察したＳＥＭ画像である。
【図７】回路直線性の評価方法を説明するための図である。
【発明を実施するための形態】
【００１３】
定義
本発明を特定するために用いられる用語ないしパラメータの定義を以下に示す。
【００１４】
本明細書において「算術平均高さＳａ」とは、ＩＳＯ２５１７８に準拠して測定される、表面の平均面に対して、各点の高さの差の絶対値の平均を表すパラメータである。つまり、粗さ曲線の算術平均高さＲａを面に拡張したパラメータに相当する。算術平均高さＳａは、粗化処理面における所定の測定面積（例えば２２５００μｍ２の領域）の表面プロファイルを市販のレーザー顕微鏡で測定することにより算出することができる。
【００１５】
本明細書において「山の頂点密度Ｓｐｄ」とは、ＩＳＯ２５１７８に準拠して測定される、単位面積当たりの山頂点の数を表すパラメータである。この値が大きいと他の物体との接触点の数が多いことを示唆する。山の頂点密度Ｓｐｄは、粗化処理面における所定の測定面積（例えば２２５００μｍ２の領域）の表面プロファイルを市販のレーザー顕微鏡で測定することにより算出することができる。
【００１６】
本明細書において「算術平均うねりＷａ」は、ＪＩＳ  Ｂ０６０１−２００１に準拠して測定される、輪郭曲線としてのうねり曲線の基準長さにおける算術平均高さである。図２及び３に示されるように、うねり曲線は断面曲線にカットオフ値λｆ及びλｃの輪郭曲線フィルタを順次かけることによって得られる輪郭曲線であり、粗さ曲線によって表される微細な凹凸ではなく、より大きなスケールの凹凸（すなわちうねり）を表すものである。
【００１７】
本明細書において、電解銅箔の「電極面」とは電解銅箔作製時に陰極と接していた側の面を指す。
【００１８】
本明細書において、電解銅箔の「析出面」とは電解銅箔作製時に電解銅が析出されていく側の面、すなわち陰極と接していない側の面を指す。
【００１９】
粗化処理銅箔
本発明の銅箔は粗化処理銅箔である。この粗化処理銅箔は少なくとも一方の側に粗化処理面を有する。粗化処理面は、ＩＳＯ２５１７８に準拠して測定される算術平均高さＳａ（μｍ）と山の頂点密度Ｓｐｄ（個／ｍｍ２）の積であるＳａ×Ｓｐｄが２５００００μｍ／ｍｍ２以上であり、かつ、ＪＩＳ  Ｂ０６０１−２００１に準拠して測定される算術平均うねりＷａが０．０３０〜０．０６０μｍである。このように、粗化処理銅箔の粗化処理面に、Ｓａ×Ｓｐｄが２５００００μｍ／ｍｍ２以上であり、かつ、算術平均うねりＷａが０．０３０〜０．０６０μｍであるという特有の表面プロファイルを付与することにより、銅張積層板の加工ないしプリント配線板の製造において、微細回路形成性（特に回路直線性）と、樹脂との密着性とを両立することが可能となる。前述したとおり、回路直線性と樹脂との密着性は、銅箔の表面プロファイルに対してトレードオフの関係にあるため、本来的に両立が難しいとの問題があったが、本発明の粗化処理銅箔によれば、良好な回路直線性と樹脂との高い密着性を予想外にも両立することができる。
【００２０】
微細回路形成性（特に回路直線性）と、樹脂との密着性と両立を可能とするメカニズムは必ずしも定かではないが、以下のようなものと考えられる。まず、粗化処理面の算術平均うねりＷａを０．０３０〜０．０６０μｍと低くしたことで、うねりという観点から評価して高い平滑性が実現されており、この高い平滑性が回路パターンの直線性に寄与するものと考えられる。その上、Ｓａ×Ｓｐｄが２５００００μｍ／ｍｍ２以上であることで、算術平均高さＳａと山の頂点密度Ｓｐｄの相乗効果により、上記のとおりうねりの観点から高い平滑性がありながらも、樹脂との密着性が有意に向上されるものと考えられる。すなわち、算術平均高さＳａは粗化処理面における粗化粒子の樹脂への食い込みに寄与する一方、山の頂点密度Ｓｐｄは粗化処理面における粗化粒子と樹脂との接点の確保に寄与する。したがって、Ｓａ×Ｓｐｄを上記所定値以上にすることで粗化粒子の樹脂への所望の食い込みを多くの接点数で確保できるといえ、うねりの観点から高い平滑性がありながらも樹脂との高い密着性を実現できるものと考えられる。
【００２１】
ところで、特許文献１のような従来技術においては、電解銅箔の析出面側に粗化処理が行われるのが一般的であるが、本発明における上記のような低い算術平均うねりＷａと高いＳａ×Ｓｐｄの両立は、電解銅箔の析出面側では実現が困難なものと考えられる。これは、電解銅箔の析出面側では銅析出に従い凹凸が生じ、それ故うねりが大きくならざるを得ないためである。この点、本発明においては、（ｉ）回転陰極の表面を予め所定の番手のバフで研磨して平滑化しておき、こうして研磨した回転陰極を用いた電解により電解銅箔を製造し、さらに（ｉｉ）得られた未処理の電解銅箔の（析出面側ではなく）電極面側に所望の低粗化条件で粗化処理を行うことにより、上記低いＷａ及び高いＳａ×Ｓｐｄを備えた特有の粗化処理面を望ましく実現することができる。したがって、本発明の好ましい態様によれば、粗化処理銅箔が電解銅箔であり、粗化処理面が電解銅箔の電極面側に存在する。
【００２２】
粗化処理面におけるＳａ×Ｓｐｄは２５００００μｍ／ｍｍ２以上であり、好ましくは２８００００〜５０００００μｍ／ｍｍ２である。これらの範囲内のＳａ×Ｓｐｄであると、所望の微細回路形成性（特に回路直線性）を確保しながら樹脂との密着性をより一層高めることができる。
【００２３】
粗化処理面における算術平均うねりＷａは０．０３０〜０．０６０μｍであり、好ましくは０．０３０〜０．０５０μｍであり、より好ましくは０．０３０〜０．０４５μｍである。これらの範囲内のＷａであると、樹脂との高い密着性を確保しながら、微細回路形成性（特に回路直線性）をより一層向上させることができる。
【００２４】
本発明の粗化処理銅箔の厚さは特に限定されないが、０．１〜３５μｍが好ましく、より好ましくは０．５〜１８μｍである。なお、本発明の粗化処理銅箔は、通常の銅箔の表面に粗化処理を行ったものに限らず、キャリア付銅箔の銅箔表面の粗化処理ないし微細粗化処理を行ったものであってもよい。
【００２５】
製造方法
本発明による粗化処理銅箔の好ましい製造方法の一例を説明する。この好ましい製造方法は、算術平均うねりＷａが０．０３０〜０．０６０μｍの表面を有する銅箔を用意する工程と、上記表面に対して所定の条件にて電解析出を行う第一粗化工程と、上記表面に対して所定の条件にて電解析出を行う第二粗化工程と、上記表面に対して所定の条件にて電解析出を行って粗化処理面を形成する第三粗化工程とを含んでなる。もっとも、本発明による粗化処理銅箔は以下に説明する方法に限らず、あらゆる方法によって製造されたものであってよい。特に、前述したように、本発明の粗化処理銅箔においては、（ｉ）回転陰極の表面を予め所定の番手のバフで研磨して平滑化しておき、こうして研磨した陰極を用いた電解により電解銅箔を製造し、さらに（ｉｉ）得られた未処理の電解銅箔の（析出面側ではなく）電極面側に所望の低粗化条件で粗化処理を行うことにより、上記低いＷａ及び高いＳａ×Ｓｐｄを備えた特有の粗化処理面を望ましく実現することができる。具体的には以下のとおりである。
【００２６】
（１）銅箔の準備
粗化処理銅箔の製造に使用する銅箔としては電解銅箔が好ましい。また、銅箔は、無粗化の銅箔であってもよいし、予備的粗化を施したものであってもよい。銅箔の厚さは特に限定されないが、０．１〜３５μｍが好ましく、より好ましくは０．５〜１８μｍである。銅箔がキャリア付銅箔の形態で準備される場合には、銅箔は、無電解銅めっき法及び電解銅めっき法等の湿式成膜法、スパッタリング及び化学蒸着等の乾式成膜法、又はそれらの組合せにより形成したものであってよい。
【００２７】
粗化処理が行われることになる銅箔の表面は、ＪＩＳ  Ｂ０６０１−２００１に準拠して測定される算術平均うねりＷａが０．０３０〜０．０６０μｍの表面を有するのが好ましく、より好ましくは０．０３０〜０．０４５μｍである。上記範囲内であると、本発明の粗化処理銅箔に要求される表面プロファイル、特に０．０３０〜０．０６０μｍの算術平均うねりＷａを粗化処理面に付与しやすくなる。
【００２８】
電解銅箔の電極面が上記算術平均うねりＷａを有するのが好ましい。そのためには、電解銅箔の製造に用いる回転陰極の表面を予めバフで研磨して平滑化しておくのが好ましく、そのようなバフの好ましい番手は＃１０００より大きく、より好ましくは＃１２００〜＃２５００、さらに好ましくは＃１５００〜＃２５００である。このようなバフを用いることで上記のような低いＷａを電解銅箔の電極面に付与することが可能となる。
【００２９】
（２）粗化処理
こうして上記低いＷａが付与された電解銅箔の表面（すなわち電極面）に対して、第一粗化工程、第二粗化工程、第三粗化工程の３段階の粗化工程を施すのが好ましい。第一粗化工程では、銅濃度８〜１２ｇ／Ｌ及び硫酸濃度２００〜２８０ｇ／Ｌを含む硫酸銅溶液中、２０〜４０℃の温度で、２０〜３０Ａ／ｄｍ２にて電解析出を行うのが好ましく、この電解析出は２〜５秒間行われるのが好ましい。第二粗化工程では、銅濃度８〜１２ｇ／Ｌ及び硫酸濃度２００〜２８０ｇ／Ｌを含む硫酸銅溶液中、２０〜４０℃の温度で、１５〜３０Ａ／ｄｍ２にて電解析出を行うのが好ましく、この電解析出は２〜５秒間行われるのが好ましい。すなわち、第一粗化工程と第二粗化工程は同じ条件であることができる。第三粗化工程では、銅濃度６５〜８０ｇ／Ｌ及び硫酸濃度２００〜２８０ｇ／Ｌを含む硫酸銅溶液中、４５〜５５℃の温度で、１０〜３０Ａ／ｄｍ２にて電解析出を行って粗化処理面を形成するのが好ましく、この電解析出は５〜２５秒間行われるのが好ましい。
【００３０】
（３）微細粗化処理
所望により、第三粗化工程で形成された粗化処理面に対して微細粗化処理がさらに行われてもよい。微細粗化処理は、銅濃度１０〜２０ｇ／Ｌ、硫酸濃度３０〜１３０ｇ／Ｌ、９−フェニルアクリジン濃度１００〜２００ｍｇ／Ｌ、塩素濃度２０〜１００ｍｇ／Ｌの硫酸銅溶液中、２０〜４０℃の温度で、電流密度１０〜４０Ａ／ｄｍ２で微細銅粒子を電解析出させることにより行われるのが好ましく、この電解析出は０．３〜１．０秒間行われるのが好ましい。
【００３１】
（４）防錆処理
所望により、粗化処理後の銅箔に防錆処理を施してもよい。防錆処理は、亜鉛を用いためっき処理を含むのが好ましい。亜鉛を用いためっき処理は、亜鉛めっき処理及び亜鉛合金めっき処理のいずれであってもよく、亜鉛合金めっき処理は亜鉛−ニッケル合金処理が特に好ましい。亜鉛−ニッケル合金処理は少なくともＮｉ及びＺｎを含むめっき処理であればよく、Ｓｎ、Ｃｒ、Ｃｏ等の他の元素をさらに含んでいてもよい。亜鉛−ニッケル合金めっきにおけるＮｉ／Ｚｎ付着比率は、質量比で、１．２〜１０が好ましく、より好ましくは２〜７、さらに好ましくは２．７〜４である。また、防錆処理はクロメート処理をさらに含むのが好ましく、このクロメート処理は亜鉛を用いためっき処理の後に、亜鉛を含むめっきの表面に行われるのがより好ましい。こうすることで防錆性をさらに向上させることができる。特に好ましい防錆処理は、亜鉛−ニッケル合金めっき処理とその後のクロメート処理との組合せである。
【００３２】
（５）シランカップリング剤処理
所望により、銅箔にシランカップリング剤処理を施し、シランカップリング剤層を形成してもよい。これにより耐湿性、耐薬品性及び接着剤等との密着性等を向上することができる。シランカップリング剤層は、シランカップリング剤を適宜希釈して塗布し、乾燥させることにより形成することができる。シランカップリング剤の例としては、４−グリシジルブチルトリメトキシシラン、３−グリシドキシプロピルトリメトキシシラン等のエポキシ官能性シランカップリング剤、又は３−アミノプロピルトリエトキシシラン、Ｎ−２（アミノエチル）３−アミノプロピルトリメトキシシラン、Ｎ−３−（４−（３−アミノプロポキシ）ブトキシ）プロピル−３−アミノプロピルトリメトキシシラン、Ｎ−フェニル−３−アミノプロピルトリメトキシシラン等のアミノ官能性シランカップリング剤、又は３−メルカプトプロピルトリメトキシシラン等のメルカプト官能性シランカップリング剤又はビニルトリメトキシシラン、ビニルフェニルトリメトキシシラン等のオレフィン官能性シランカップリング剤、又は３−メタクリロキシプロピルトリメトキシシラン等のアクリル官能性シランカップリング剤、又はイミダゾールシラン等のイミダゾール官能性シランカップリング剤、又はトリアジンシラン等のトリアジン官能性シランカップリング剤等が挙げられる。
【００３３】
銅張積層板
本発明の粗化処理銅箔はプリント配線板用銅張積層板の作製に用いられるのが好ましい。すなわち、本発明の好ましい態様によれば、上記粗化処理銅箔を用いて得られた銅張積層板が提供される。この銅張積層板は、本発明の粗化処理銅箔と、この粗化処理銅箔の粗化処理面に密着して設けられる樹脂層とを備えてなる。粗化処理銅箔は樹脂層の片面に設けられてもよいし、両面に設けられてもよい。樹脂層は、樹脂、好ましくは絶縁性樹脂を含んでなる。樹脂層はプリプレグ及び／又は樹脂シートであるのが好ましい。プリプレグとは、合成樹脂板、ガラス板、ガラス織布、ガラス不織布、紙等の基材に合成樹脂を含浸させた複合材料の総称である。絶縁性樹脂の好ましい例としては、エポキシ樹脂、シアネート樹脂、ビスマレイミドトリアジン樹脂（ＢＴ樹脂）、ポリフェニレンエーテル樹脂、フェノール樹脂等が挙げられる。また、樹脂シートを構成する絶縁性樹脂の例としては、エポキシ樹脂、ポリイミド樹脂、ポリエステル樹脂等の絶縁樹脂が挙げられる。また、樹脂層には絶縁性を向上する等の観点からシリカ、アルミナ等の各種無機粒子からなるフィラー粒子等が含有されていてもよい。樹脂層の厚さは特に限定されないが、１〜１０００μｍが好ましく、より好ましくは２〜４００μｍであり、さらに好ましくは３〜２００μｍである。樹脂層は複数の層で構成されていてよい。プリプレグ及び／又は樹脂シート等の樹脂層は予め銅箔表面に塗布されるプライマー樹脂層を介して粗化処理銅箔に設けられていてもよい。
【００３４】
プリント配線板
本発明の粗化処理銅箔はプリント配線板の作製に用いられるのが好ましい。すなわち、本発明の好ましい態様によれば、上記粗化処理銅箔を用いて得られたプリント配線板が提供される。本態様によるプリント配線板は、樹脂層と、銅層とがこの順に積層された層構成を含んでなる。また、樹脂層については銅張積層板に関して上述したとおりである。いずれにしても、プリント配線板は公知の層構成が採用可能である。プリント配線板に関する具体例としては、プリプレグの片面又は両面に本発明の粗化処理銅箔を接着させ硬化した積層体とした上で回路形成した片面又は両面プリント配線板や、これらを多層化した多層プリント配線板等が挙げられる。また、他の具体例としては、樹脂フィルム上に本発明の粗化処理銅箔を形成して回路を形成するフレキシブルプリント配線板、ＣＯＦ、ＴＡＢテープ等も挙げられる。さらに他の具体例としては、本発明の粗化処理銅箔に上述の樹脂層を塗布した樹脂付銅箔（ＲＣＣ）を形成し、樹脂層を絶縁接着材層として上述のプリント基板に積層した後、粗化処理銅箔を配線層の全部又は一部としてモディファイド・セミアディティブ（ＭＳＡＰ）法、サブトラクティブ法等の手法で回路を形成したビルドアップ配線板や、粗化処理銅箔を除去してセミアディティブ（ＳＡＰ）法で回路を形成したビルドアップ配線板、半導体集積回路上へ樹脂付銅箔の積層と回路形成を交互に繰りかえすダイレクト・ビルドアップ・オン・ウェハー等が挙げられる。
【実施例】
【００３５】
本発明を以下の例によってさらに具体的に説明する。【００３６】
例１〜３
本発明の粗化処理銅箔の作製を以下のようにして行った。【００３７】
（１）電解銅箔の作製
銅電解液として以下に示される組成の硫酸酸性硫酸銅溶液を用い、陰極にチタン製の回転電極を用い、陽極にはＤＳＡ（寸法安定性陽極）を用いて、溶液温度４５℃、電流密度５５Ａ／ｄｍ２で電解し、厚さ１２μｍの電解銅箔を得た。このとき、回転陰極として、表面を＃１２００（例１）、＃２０００（例２）又は＃１５００（例３）のホイールバフで研磨して表面粗さを調整した電極を用いた。この電解銅箔の電極面の算術平均うねりＷａを後述する手法にて測定したところ、表２に示される値が得られた。
＜硫酸酸性硫酸銅溶液の組成＞
‐  銅濃度：８０ｇ／Ｌ
‐  硫酸濃度：２６０ｇ／Ｌ
‐  ビス（３−スルホプロピル）ジスルフィド濃度：３０ｍｇ／Ｌ
‐  ジアリルジメチルアンモニウムクロライド重合体濃度：５０ｍｇ／Ｌ
‐  塩素濃度：４０ｍｇ／Ｌ【００３８】
（２）粗化処理
上述の電解銅箔が備える電極面及び析出面の内、電極面側に対して、以下に示される３段階のプロセスで粗化処理を行った。すなわち、以下に示される第一粗化工程、第二粗化工程及び第三粗化工程をこの順に行った。
‐  第一粗化工程は、表１Ａに示される組成の粗化処理用銅電解溶液（銅濃度：１０．５〜１０．８ｇ／Ｌ、硫酸濃度：２３０〜２４０ｇ／Ｌ）中、表１Ａに示される条件にて電解し、水洗することにより行った。
‐  第二粗化工程は、第一粗化工程と同じ組成の粗化処理用銅電解溶液中、表１Ａに示される条件にて電解し、水洗することにより行った。
‐  第三粗化工程は、粗化処理用銅電解溶液（銅濃度：７０ｇ／Ｌ、硫酸濃度：２４０ｇ／Ｌ）中、表１Ｂに示される条件にて電解し、水洗することにより行った。【００３９】
（３）防錆処理
粗化処理後の電解銅箔の両面に、無機防錆処理及びクロメート処理からなる防錆処理を行った。まず、無機防錆処理として、ピロリン酸浴を用い、ピロリン酸カリウム濃度８０ｇ／Ｌ、亜鉛濃度０．２ｇ／Ｌ、ニッケル濃度２ｇ／Ｌ、液温４０℃、電流密度０．５Ａ／ｄｍ２で亜鉛−ニッケル合金防錆処理を行った。次いで、クロメート処理として、亜鉛−ニッケル合金防錆処理の上に、更にクロメート層を形成した。このクロメート処理は、クロム酸濃度が１ｇ／Ｌ、ｐＨ１１、溶液温度２５℃、電流密度１Ａ／ｄｍ２で行った。【００４０】
（４）シランカップリング剤処理
上記防錆処理が施された銅箔を水洗し、その後直ちにシランカップリング剤処理を行い、粗化処理面の防錆処理層上にシランカップリング剤を吸着させた。このシランカップリング剤処理は、純水を溶媒とし、３−アミノプロピルトリメトキシシラン濃度が３ｇ／Ｌの溶液を用い、この溶液をシャワーリングにて粗化処理面に吹き付けて吸着処理することにより行った。シランカップリング剤の吸着後、最終的に電熱器により水分を蒸発させ、厚さ１８μｍの粗化処理銅箔を得た。【００４１】
例４（比較）
表１Ａ及び１Ｂに示されるとおり、回転陰極の研磨に用いたバフの番手を＃６００としたこと以外は、例１と同様にして、粗化処理銅箔の作製を行った。【００４２】
例５（比較）
ｉ）電解銅箔の析出面側（すなわち電極面側と反対側）に粗化処理等の処理を行ったこと、及びｉｉ）粗化処理を表１Ａ及び１Ｂに示される条件に従って行ったこと以外は例１と同様にして、粗化処理銅箔の作製を行った。なお、本例においては電解銅箔の析出面側に粗化処理等を行ったため、粗化処理銅箔の粗化処理面は回転陰極の研磨に用いたバフの番手の影響を基本的に受けないため、表１Ａ及び２においてバフの番手の記載を省略した。【００４３】
例６（比較）
ｉ）電解銅箔の析出面側（すなわち電極面側と反対側）に粗化処理等の処理を行ったこと、及びｉｉ）第一、第二及び第三粗化工程の代わりに以下の１段階の微細粗化処理を行ったこと以外は例１と同様にして、粗化処理銅箔の作製を行った。なお、本例においては電解銅箔の析出面側に粗化処理等を行ったため、粗化処理銅箔の粗化処理面は回転陰極の研磨に用いたバフの番手の影響を基本的に受けないため、表１Ａ及び２においてバフの番手の記載を省略した。【００４４】
（微細粗化処理）
上述の電解銅箔が備える電極面及び析出面の内、析出面側に対して、粗化処理用銅電解溶液（銅濃度：１３ｇ／Ｌ、硫酸濃度：７０ｇ／Ｌ、９−フェニルアクリジン濃度：１４０ｍｇ／Ｌ、塩素濃度：３５ｍｇ／Ｌ）中、表１Ｂに示される条件にて電解し、水洗することにより、微細粗化処理を行った。【００４５】
例７（比較）
表１Ａ及び１Ｂに示されるとおり、回転陰極の研磨に用いたバフの番手を＃３０００としたこと以外は、例１と同様にして、粗化処理銅箔の作製を行った。【００４６】
例８（比較）
ｉ）回転陰極の研磨に用いたバフの番手を＃６００としたこと、ｉｉ）電解銅箔の電極面側に粗化処理等の処理を行ったこと、ｉｉｉ）第一粗化工程を、銅濃度：８ｇ／Ｌ、硫酸濃度：２３０ｇ／Ｌ、及びニカワ濃度：２ｍｇ／Ｌの粗化処理用電解溶液中、表１Ａに示される条件に従って行ったこと、及びｉｖ）第三粗化工程を、銅濃度：７０ｇ／Ｌ及び硫酸濃度：２３０ｇ／Ｌの粗化処理用電解溶液中、表１Ｂに示される条件に従って行ったこと以外は例１と同様にして、粗化処理銅箔の作製を行った。
【表１Ａ】
2017006739.tif 000003
【表１Ｂ】
2017006739.tif 000004
【００４７】
評価
例１〜７において作製された粗化処理銅箔について、以下に示される各種評価を行った。【００４８】
＜算術平均うねりＷａ＞
レーザー顕微鏡（株式会社キーエンス製、ＶＫ−Ｘ１００）を用いた表面粗さ解析により、粗化処理銅箔の粗化処理面における算術平均うねりＷａの測定をＪＩＳ  Ｂ０６０１−２００１に準拠して行った。具体的には、粗化処理銅箔の粗化処理面における面積２２５００μｍ２の領域（１５０μｍ×１５０μｍ）の表面プロファイルを上記レーザー顕微鏡にて倍率１０００倍で測定した。得られた粗化処理面の表面プロファイルに対して面傾き補正を行った後、フィルター処理にてサイズ５×５に平滑化し、表面粗さ解析によりうねり測定を実施した。フィルタータイプはメディアンとした。また、各輪郭曲線フィルターのカットオフ値は、λｓ＝０．２５μｍ、λｃ＝０．０８ｍｍ、λｆ＝８０μｍとした。なお、前述した各例における粗化処理前の電解銅箔の析出面又は電極面の算術平均うねりＷａの測定も上記同様の手順にて行われた。【００４９】
＜Ｓａ×Ｓｐｄ＞
レーザー顕微鏡（株式会社キーエンス製、ＶＫ−Ｘ１００）を用いた表面性状解析により、粗化処理銅箔の粗化処理面における算術平均高さＳａ（μｍ）と山の頂点密度Ｓｐｄ（個／ｍｍ２）のＩＳＯ２５１７８に準拠して行った。具体的には、粗化処理銅箔の粗化処理面における面積２２５００μｍ２の領域（１５０μｍ×１５０μｍ）の表面プロファイルを、上記レーザー顕微鏡を用いて倍率１０００倍で測定した。得られた粗化処理面の表面プロファイルに対して面傾き補正を行った後、表面性状解析によりＳａ及びＳｐｄの測定を実施した。この測定は、Ｓフィルターによるカットオフ波長を０．８μｍとし、Ｌフィルターによるカットオフ波長を０．１μｍとして行った。こうして得られたＳａ及びＳｐｄの値に基づいてＳａ×Ｓｐｄの値を算出した。【００５０】
＜剥離強度＞
厚さ５０μｍのプリプレグ（ＥＭ３５５（Ｄ）、ＥＬＩＴＥ  ＭＡＴＥＲＩＡＬ  ＣＯ．，  ＬＴＤ製）２枚を重ねて厚さ１００μｍの樹脂基材を得た。この樹脂基材に粗化処理銅箔をその粗化処理面が樹脂基材と当接するように積層し、圧力４．０ＭＰａ及び温度１８５℃で６０分間の熱間プレス成形を行って銅張積層板サンプルを作製した。この銅張積層板サンプルに対して、ＪＩＳ  Ｃ  ６４８１−１９９６に準拠して、樹脂基材面に対して９０°方向に剥離して常態剥離強度（ｋｇｆ／ｃｍ）を測定した。【００５１】
＜回路直線性＞
回路直線性の評価を次のようにして行った。まず、上述の銅張積層板の表面に回路高さが２０μｍになるまで電気めっきを行った。こうして形成された電気めっき層の表面にドライフィルムを貼り付け、露光及び現像を行い、エッチングレジストを形成した。塩化銅エッチング液で処理することにより、レジスト間から銅を溶解除去し、回路高さ２０μｍ、ライン／スペース（Ｌ／Ｓ）＝３０μｍ／３０μｍの直線状配線パターンを形成した。こうして得られた直線状配線パターンをＳＥＭで観察した。例１、４及び５で得られた配線パターンの断面ＳＥＭ画像をそれぞれ図４Ａ、５Ａ及び６Ａに示す。また、例１、４及び５で得られた配線パターンを上から観察したＳＥＭ画像を図４Ｂ、５Ｂ及び６Ｂに示す。図４Ａ、５Ａ及び６Ａにおいて中央に観察される２つの略台形状の部分が配線パターンである。また、図４Ｂ、５Ｂ及び６Ｂにおいて横方向に３本観察される直線部分が配線パターンである。これらの図から分かるように、配線パターンの断面は略台形状であり、頂部における幅よりも底部における幅は長くなる。そして、配線パターンの頂部の端を基準とした底部の延出部分（裾野部分）の距離（以下、トップ−ボトム間距離という）のばらつきが少ない程、回路パターンの直線性が高いといえる。この点、比較例である例４及び５に相当する図５Ａ〜５Ｂ及び６Ａ〜６Ｂに示される配線パターンよりも、実施例である例１に相当する図４Ａ〜４Ｂに示される配線パターンの方が、直線性が高いことが分かる。【００５２】
このような配線パターンの直線性、すなわち回路直線性をより客観的な指標により評価すべく、以下の測定を行った。得られた直線状配線パターンについて、図７に示されるように、回路１００の頂部（ｔｏｐ）１０２と底部（ｂｏｔｔｏｍ）１０４の片側における差分、すなわち上述したトップ−ボトム間距離Ｄを４μｍ間隔で１００点測定した。得られた１００点の測定値の内、値の大きい方から数えて２６番目のトップ−ボトム間距離Ｄ２６（すなわち上位２５％の測定値をノイズとして除去した最大値）から、値の小さい方から数えて２６番目（値の大きい方から数えて７５番目）のトップ−ボトム間距離Ｄ７５（すなわち下位２５％の測定値をノイズとして除去した最小値）を引いた値、すなわちＤ２６−Ｄ７５を回路直線性の客観的な指標として算出した。【００５３】
結果
例１〜７において得られた評価結果は表２に示されるとおりであった。表２に示されるように、本発明の条件を満たす例１〜３で作製した粗化処理銅箔は、微細回路形成性（特に回路直線性）と、樹脂との密着性との両方に優れるものであった。【００５４】
【表２】
2017006739.tif 000005
【図１Ａ】
2017006739.tif 000006
【図１Ｂ】
2017006739.tif 000007
【図２】
2017006739.tif 000008
【図３】
2017006739.tif 000009
【図４Ａ】
2017006739.tif 000010
【図４Ｂ】
2017006739.tif 000011
【図５Ａ】
2017006739.tif 000012
【図５Ｂ】
2017006739.tif 000013
【図６Ａ】
2017006739.tif 000014
【図６Ｂ】
2017006739.tif 000015
【図７】
2017006739.tif 000016
【手続補正書】
【提出日】平成29年7月19日(2017.7.19)
【手続補正１】
【補正対象書類名】特許請求の範囲
【補正対象項目名】全文
【補正方法】変更
【補正の内容】
【特許請求の範囲】
【請求項１】
少なくとも一方の側に粗化処理面を有する粗化処理銅箔であって、前記粗化処理面は、ＩＳＯ２５１７８に準拠して測定される算術平均高さＳａ（μｍ）と山の頂点密度Ｓｐｄ（個／ｍｍ２）の積であるＳａ×Ｓｐｄが２５００００μｍ／ｍｍ２以上であり、かつ、ＪＩＳ  Ｂ０６０１−２００１に準拠して測定される算術平均うねりＷａが０．０３０〜０．０６０μｍであり、
前記粗化処理銅箔が電解銅箔であり、前記粗化処理面が電解銅箔の電極面側に存在する、粗化処理銅箔。
【請求項２】
前記Ｓａ×Ｓｐｄが２８００００〜５０００００μｍ／ｍｍ２である、請求項１に記載の粗化処理銅箔。
【請求項３】
前記算術平均うねりＷａが０．０３３〜０．０５０μｍである、請求項１又は２に記載の粗化処理銅箔。
【請求項４】
請求項１〜３のいずれか一項に記載の粗化処理銅箔を備えた、銅張積層板。
【請求項５】
請求項１〜３のいずれか一項に記載の粗化処理銅箔を備えた、プリント配線板。
【国際調査報告】
2017006739.tif 000017
2017006739.tif 000018
2017006739.tif 000019
2017006739.tif 000020